(57)【要約】【課題】口の吸気を確実に阻止でき、鼻の吸気がスムーズに行え、ドライマウスや、鼾や、無呼吸症候群等の症状の解消や軽減が図れ、理想的な睡眠時の呼吸が行え、脳の活性化、精神の安定化に役立ち、装着時の違和感を低減でき、装着安定性も優れ、簡単に分解でき、綺麗に洗浄でき、衛生的な使用が可能で、取扱い易く、小型コンパクトで、外観上の体裁が良く、構成簡素で、量産に適し、低廉で、経済的な鼻呼吸強制具を提供する。【解決手段】強制具基体１とキャップ１０と弁体５とを備え、強制具基体１は、口で銜えると口内保持部３の殆どの部分が唇と歯の間に収まるよう形成し、キャップ１０には排気孔１１を設け、弁体５は、口外筒部２の先端部分とキャップ１０との間で僅かに遊動可能で、弁体５が口外筒部２の先端部分を閉塞して吸気を阻止するよう形成し、弁体５が口外筒部２の先端部分から離れて排気が可能となるよう構成する。【選択図】図１
0003119779.tif 000002
【実用新案登録請求の範囲】
【請求項１】
就寝する際等に口部に装着して、口からの吸気を阻止することにより、鼻からの吸気を強制できるようにした鼻呼吸強制具であって、口外筒部及びこの口外筒部の基端外周部分に連設される口内保持部を有する強制具基体と、この強制具基体の口外筒部の先端がわに着脱自在に外装されるキャップと、口外筒部の先端部分とキャップとの間に介装される弁体とを備え、強制具基体は、口で銜えたときに口内保持部の殆どの部分が唇と歯の間に収まるように形成され、キャップには適数の排気孔が設けられ、弁体は、口外筒部の先端部分とキャップとの間で僅かに遊動可能となるように形成され、口から吸気を行うと、弁体が口外筒部の先端部分を閉塞して口からの吸気を阻止するように形成し、口から排気を行うと、弁体が口外筒部の先端部分から離れて排気が可能となるように構成したことを特徴とする睡眠時に於ける鼻呼吸強制具。
【請求項２】
前記弁体の代わりに閉塞弁体を、口外筒部の先端部分とキャップとの間に配し、口外筒部の先端部分を閉塞弁体で常時閉塞できるようにして、口からの吸気及び排気を阻止するように構成したことを特徴とする請求項１記載の睡眠時に於ける鼻呼吸強制具。
【請求項３】
前記キャップの天板部内表面に小突起を突設して、弁体が天板部内表面に密接するのを阻止できるように構成したことを特徴とする請求項１記載の睡眠時に於ける鼻呼吸強制具。
【考案の詳細な説明】
【技術分野】
【０００１】
本考案は、主に、就寝する際に口部に装着し、口からの吸気を阻止することにより、鼻からの吸気を強制できるようにして、ドライマウスや、鼾や、無呼吸症候群等の症状の解消や軽減等が図れるように工夫した睡眠時に於ける鼻呼吸強制具に関するものである。
【背景技術】
【０００２】
従来、この種の鼻呼吸強制具としては、例えば、特許文献１に示すような口呼吸防止器具が開示されている。
そして、この口呼吸防止器具は、排気弁を有すると共に鼻部を覆うことなく口部を覆うようにしてなるもので、具体的には、口部を外から覆う口覆い部に排気弁を設けると共に、口覆い部の両端に耳に掛止できるようにした紐状の固定用部材が取付けられたものである。
【０００３】
【特許文献１】特開２００４−２８３２８０
【考案の開示】
【考案が解決しようとする課題】
【０００４】
ところが、前述の如き口呼吸防止器具にあっては、比較的大きな口覆い部で口部周辺が外から覆われると共に、紐状の固定用部材が耳に掛止されるため、寝付きの悪い人や神経質な人にあっては、その装着時の違和感によって寝ることができなかったり、或いは、寝るのに時間がかかったりする難点や、寝返り等によって器具がズレたりする難点等があった。また、口呼吸防止器具自体が目立ち、外観上の体裁も悪い難点があった。
更に、口呼吸防止器具（特に排気弁）の洗浄等が綺麗に行い難く、衛生面での維持が難しい等の難点もあった。
【０００５】
そこで、本考案は、前述の如き難点等を解消できるようにして、装着時の違和感を低減できるようにすると共に、睡眠時の装着安定性にも優れ、また、鼻呼吸強制具を分解して綺麗に洗浄できて、いつでも衛生的に使用できるようにし、しかも、構成が簡素で、量産に適し、低廉で、経済的で、小型コンパクトに構成でき、外観上の体裁も良く、鼻からの吸気がスムーズに行え、ひいては、ドライマウスや、鼾や、無呼吸症候群等の症状の解消や軽減等が図れるようにすべく案出されたものである。
【課題を解決するための手段】
【０００６】
しかして、請求項１記載の鼻呼吸強制具にあっては、就寝する際等に口部に装着して、口からの吸気を阻止することにより、鼻からの吸気を強制できるようにした鼻呼吸強制具であって、口外筒部２及びこの口外筒部２の基端外周部分に連設される口内保持部３を有する強制具基体１と、この強制具基体１の口外筒部２の先端がわに着脱自在に外装されるキャップ１０と、口外筒部２の先端部分とキャップ１０との間に介装される弁体５とを備え、強制具基体１は、口で銜えたときに口内保持部３の殆どの部分が唇と歯の間に収まるように形成され、キャップ１０には適数の排気孔１１が設けられ、弁体５は、口外筒部２の先端部分とキャップ１０との間で僅かに遊動可能となるように形成され、口から吸気を行うと、弁体５が口外筒部２の先端部分を閉塞して口からの吸気を阻止するように形成し、口から排気を行うと、弁体５が口外筒部２の先端部分から離れて排気が可能となるように構成する手段を採用した。
【０００７】
また、請求項２記載の鼻呼吸強制具にあっては、前記弁体５の代わりに閉塞弁体６を、口外筒部２の先端部分とキャップ１０との間に配し、口外筒部２の先端部分を閉塞弁体６で常時閉塞できるようにして、口からの吸気及び排気を阻止するように構成する手段を採用した。
【０００８】
更に、請求項３記載の鼻呼吸強制具にあっては、前記キャップ１０の天板部１０ａ内表面に小突起１２を突設して、弁体５が天板部１０ａ内表面に密接するのを阻止できるように構成する手段を採用した。
【考案の効果】
【０００９】
従って、請求項１記載の鼻呼吸強制具によれば、口による吸気を確実に阻止でき、鼻からの吸気がスムーズに行えるようになり、ひいては、ドライマウスや、鼾や、無呼吸症候群等の症状の解消や軽減等が図れるようになる。
更に、鼻からの吸気と、口からの排気がスムーズに行え、理想的な睡眠時の呼吸が行えるようになり、脳の活性化、精神の安定化に役立つものとなる。
しかも、小型コンパクトに構成でき、外観上の体裁も良く、取扱い易く、構成が簡素で、量産に適し、低廉で、経済的な鼻呼吸強制具となる。
【００１０】
加えて、強制具基体１は、口で銜えたときに口内保持部３の殆どの部分が唇と歯の間に収まるように形成されているので、装着時の違和感を低減できるようになると共に、睡眠時の装着安定性も優れたものとなる。
【００１１】
特に、キャップ１０を強制具基体１の口外筒部２の先端がわに着脱自在に外装し、弁体５を口外筒部２の先端部分とキャップ１０との間に介装しているので、キャップ１０を口外筒部２から取外すだけで、弁体５を取外せるようになり、鼻呼吸強制具を簡単に分解でき、これらを綺麗に洗浄できるようになって、いつでも衛生的な使用が可能となる。
【００１２】
また、請求項２記載の鼻呼吸強制具によれば、口による吸気及び排気を確実に阻止でき、鼻からの吸気及び排気がスムーズに行えるようになり、ひいては、ドライマウスや、鼾や、無呼吸症候群等の症状の解消や軽減等が図れるようになる。
【００１３】
更に、請求項３記載の鼻呼吸強制具によれば、弁体５がキャップ１０の天板部１０ａ内表面に水滴によって付着したままの状態となるのを確実に防止できるようになり、弁体５の正常な作動状態を維持できるようになる。
【考案を実施するための最良の形態】
【００１４】
以下、本考案を図示例に基づいて説明すると、次の通りである。
本考案は、主に、就寝する際に口部に装着し、口からの吸気（或いは、吸気及び排気）を阻止することにより、鼻からの吸気（或いは、吸気及び排気）を強制できるようにして、ドライマウスや、鼾や、無呼吸症候群等の症状の解消や軽減等が図れるようにした鼻呼吸強制具である。
具体的には、強制具基体１と、キャップ１０と、弁体５（或いは閉塞弁体６）とによって構成されるもので（図１参照）、強制具基体１は、口外筒部２と、この口外筒部２の基端外周部分に連設される口内保持部３とからなり、しかも、口で銜えたときに口内保持部３の殆どの部分が唇と歯の間に収まるように形成され（図４参照）、キャップ１０は、強制具基体１の口外筒部２の先端がわに着脱自在に外装できるように形成されると共に、適数の排気孔１１が設けられ、弁体５は、口外筒部２の先端部分とキャップ１０との間に介装されると共に、口外筒部２の先端部分とキャップ１０との間で僅かに遊動可能となるように形成され、口から吸気を行うと、弁体５が口外筒部２の先端部分を閉塞して口からの吸気を阻止するように形成し、口から排気を行うと、弁体５が口外筒部２の先端部分から離れて排気が可能となるように構成されている（図２参照）。
また、閉塞弁体６は、弁体５の代わりに口外筒部２の先端部分とキャップ１０との間に配されると共に、口外筒部２の先端部分を常時閉塞できるようにして、口からの吸気及び排気の両方を阻止するように構成されている（図３参照）。
更に、前記キャップ１０の天板部１０ａ内表面には、小突起１２が突設されており、弁体５が天板部１０ａ内表面に密接するのを阻止できるように構成されている。
【実施例】
【００１５】
前記強制具基体１は、例えば、適宜合成樹脂材（或いは、ゴム材や複合材でも良い）によって構成されており、略円筒状の口外筒部２と、この口外筒部２の基端外周部分に外方に張出すように一体的に（或いは、別体でも良い）連設される口内保持部３とからなっている。
【００１６】
前記口外筒部２は、例えば、比較的硬く（或いは、柔らかくても良い）構成され、その基端部分が口で銜えられ、その殆どの部分が口の外に突出するように形成されている。
【００１７】
前記口内保持部３は、例えば、比較的柔軟に（或いは、硬くても良い）構成され、その外殻形状が略楕円状に形成されていて、その殆どの部分が唇と歯の間に無理なく収まるように形成されている。
特に、口内保持部３は、口の中に入れ易く、唇や歯茎や歯や舌等を損傷することが無く、無害で、唇と歯（歯茎を含んでも良い）の間に安定的に保持できるような形状、寸法、材質（硬さを含む）のものが採用される。
【００１８】
前記弁体５は、例えば、適宜ゴム材や適宜合成樹脂材（或いは、金属材や複合材でも良い）によって構成され、しかも、口外筒部２の内径より大きく口外筒部２の外形より僅かに小さい略薄肉円板状に形成されている。すなわち、弁体５は、口外筒部２先端部分とキャップ１０との間で遊動できると共に、口外筒部２の先端面部分に密接可能で、口外筒部２の先端部分を確実に閉塞することもできるように形成されている。
【００１９】
前記閉塞弁体６は、例えば、適宜ゴム材や適宜合成樹脂材（或いは、金属材や複合材でも良い）によって構成され、しかも、口外筒部２の内径より大きく口外筒部２の外形より僅かに小さい略厚肉円板状に形成されている。すなわち、閉塞弁体６は、口外筒部２先端部分とキャップ１０との間に固定されると共に、口外筒部２の先端面部分に常時密接して、口外筒部２の先端部分を常時閉塞するように形成されている。
【００２０】
前記キャップ１０は、例えば、適宜合成樹脂材（或いは、適宜ゴム材や金属材や複合材でも良い）によって構成され、しかも、略円筒状の側壁部１０ｂと、この側壁部１０ｂの先端開口部分を閉鎖するように連設される略円板状の天板部１０ａとからなり、側壁部１０ｂが口外筒部２に着脱自在に外装できるように形成されている。
尚、キャップ１０は、図示例のように口外筒部２に外嵌状に嵌め込み装着されるようにしたものであっても良いし、或いは、適宜螺合手段を介して口外筒部２に螺着できるように形成したものであっても良いし、或いは、側壁部１０ｂ内表面と口外筒部２外表面に、係脱自在に係止可能となるような適宜凸部と凹部を設けたものであっても良い。すなわち、キャップ１０の口外筒部２への装着安定性がより増すと共に、その着脱作業がより行い易くなるように構成することができる。
【００２１】
前記排気孔１１は、キャップ１０の側壁部１０ｂ（或いは、側壁部１０ｂ及び天板部１０ａ）に複数設けられ、口からの排気がスムーズに行えるように形成されている。
尚、排気孔１１は、キャップ１０の天板部１０ａ寄りに設けるようにすることで、排気孔１１を通過する排気が顔の表面からより離れるようになり、睡眠時に排気が気になるような虞のないものとなる。しかも、排気孔１１の向きは、斜外方に向って開口するように形成しても良い。
【００２２】
前記小突起１２は、例えば、キャップ１０の天板部１０ａの内表面中央に突設されており、キャップ１０の天板部１０ａと一体的に形成されると共に、その先端が丸く小さくなるように形成されている。すなわち、口からの排気によってキャップ１０内や弁体５表面に結露による水滴が付着したときに、弁体５が天板部１０ａ内表面に付着したままとなるのを確実に防止し、更に、小突起１２先端に弁体５が付着したままとなるのを解消できるように配慮されている。
【００２３】
ところで、強制具基体１の口外筒部２内表面や、キャップ１０の内表面部分に、適宜吸水性の高い部材を付設できるように形成しておき、排気によって鼻呼吸強制具内に水滴が発生したときに、これをスムーズに吸水できるように構成しても良い。
【００２４】
尚、鼻呼吸強制具の具体的構成、形状、寸法、材質、強制具基体１の具体的構成、形状、寸法、材質、口外筒部２の具体的構成、形状、寸法、材質、口内保持部３の具体的構成、形状、寸法、材質、弁体５の具体的構成、形状、寸法、材質、閉塞弁体６の具体的構成、形状、寸法、材質、キャップ１０の具体的構成、形状、寸法、材質、天板部１０ａの具体的構成、形状、寸法、材質、側壁部１０ｂの具体的構成、形状、寸法、材質、排気孔１１の具体的形状、寸法、配設位置、数、小突起１２の具体的形状、寸法、配設位置、数等は、図示例のもの等に限定されることなく、適宜自由に設定、変更できるものである。
【００２５】
本考案の鼻呼吸強制具は前述の如く構成されており、次にその使用例について説明すると、先ず、図２に示すような鼻呼吸強制具を利用する時には、就寝する際に、強制具基体１の口内保持部３を唇と歯の間に収まるように鼻呼吸強制具を銜える。このとき、口外筒部２及びキャップ１０は口から突出した状態となる。
そして、口から吸気を行うと、弁体５が吸い寄せられて口外筒部２の先端部分を閉塞し、口からの吸気が阻止され、鼻からの吸気を強制されるようになる。それから、口から排気を行うと、弁体５が口外筒部２の先端部分から離れると共に、排気孔１１を介して排気されるようになり、これを睡眠中繰返し継続するようになって、ドライマウスや、鼾や、無呼吸症候群等の症状の解消や軽減等を図れるようにする。
【００２６】
また、図３に示すような鼻呼吸強制具を利用する時には、図２に示すような鼻呼吸強制具からキャップ１０を取外し、弁体５の代わりに閉塞弁体６をセットして、キャップ１０を取付けておく。
それから、就寝する際に、強制具基体１の口内保持部３を唇と歯の間に収まるように鼻呼吸強制具を銜える。このとき、口外筒部２及びキャップ１０は口から突出した状態となる。
そして、口から吸気を行っても、閉塞弁体６が口外筒部２の先端部分を閉塞しているため、口からの吸気が阻止され、鼻からの吸気を強制されるようになる。しかも、口からの排気も阻止されているため、鼻からの排気も強制されるようになり、これを睡眠中繰返し継続するようになって、ドライマウスや、鼾や、無呼吸症候群等の症状の解消や軽減等を図れるようにする。
【００２７】
尚、鼻呼吸強制具を使用した後は、キャップ１０を強制具基体１から取外すと共に、弁体５（或いは、閉塞弁体６）を取出して、夫々を洗浄してから組立てるようにする。
【図面の簡単な説明】
【００２８】
【図１】本考案の鼻呼吸強制具を例示する分解斜視図である。
【図２】本考案の鼻呼吸強制具を例示する縦断側面図である。
【図３】本考案の鼻呼吸強制具の他の実施例を例示する縦断側面図である。
【図４】本考案の鼻呼吸強制具の使用状態を示す側面図である。
【符号の説明】
【００２９】
１      強制具基体
２      筒部
３      口内保持部
５      弁体
６      閉塞弁体
１０    キャップ
１０ａ  天板部
１０ｂ  側壁部
１１    排気孔
１２    小突起
【図１】
0003119779.tif 000003
【図２】
0003119779.tif 000004
【図３】
0003119779.tif 000005
【図４】
0003119779.tif 000006